(57)【要約】【目的】本発明は、簡単な構成で、確実に、安定したシートの剥離を行うことができる転写装置を提供する。【構成】シート上に像担持体１０で形成された現像剤像を転写する転写部２１と少なくとも二つのローラ（４０ａ、４０ｂ）間で張架されたシートを搬送するベルト部材２２とを備えた転写ユニット２０とを有し、転写部２１は、ベルト部材２２を介して像担持体１０を押圧し、少なくとも、像担持体１０と転写部２１との接触部Ｌに位置するベルト部材２２の部位において、ベルト部材２２を像担持体１０側に押し上げる剥離補助部材３０を備える。【選択図】　図１
2004004313.tif 000002
【特許請求の範囲】
【請求項１】
シート上に像担持体で形成された現像剤像を転写する転写部と少なくとも二つのローラ間で張架された前記シートを搬送するベルト部材とを備えた転写ユニットとを有し、
前記転写部は、前記ベルト部材を介して前記像担持体を押圧し、
少なくとも、前記像担持体と前記転写部との接触部に位置する前記ベルト部材の部位において、
前記ベルト部材を前記像担持体側に押し上げる剥離補助部材を備えたことを特徴とする転写剥離装置。
【請求項２】
前記転写部は両端を支持された回転体であることを特徴とする請求項１記載の転写剥離装置。
【請求項３】
前記剥離補助部材は、前記ベルト部材の幅方向に延びた補正部材と、前記接触部から各前記ローラの適宜位置に前記補正部材を配置する取付部材とを有し、
前記補正部材は、前記補正部材の範囲にある前記ベルト部材を、前記接触部に対し略水平またはこの水平位置から前記像担持体側となるように、作用させることを特徴とする請求項１記載の転写剥離装置。
【請求項４】
前記補正部材は、前記ベルト部材に押圧させる回転自在なローラ部と、前記ローラ部を支持する弾性部材とを有することを特徴とする請求項３記載の転写剥離装置。
【請求項５】
前記補正部材は、前記ベルト部材に押圧させる回転自在なローラ部と、前記ローラ部を支持し、前記ローラ部の押圧を調整する調整部材とを有することを特徴とする請求項３記載の転写剥離装置。
【発明の詳細な説明】
【０００１】
【発明の属する技術分野】
本発明は、複写機、プリンタ等の電子写真装置において、転写工程が終了したシートを、像担持体から剥離する転写剥離装置に関するものである。
【０００２】
【従来の技術】電子写真装置において適用した従来の転写装置として、図３に示したものがある。この転写装置は、所定の電圧を印加され、感光ドラム５表面と所定のニップ幅で接触する転写ベルト３と、二つのローラ（１、２）で張架された転写ベルト３と、転写ベルト３の背面に配置された転写ローラ４とから構成されている。
【０００３】シート搬送の安定性を確保し、かつ感光ドラム５表面に形成された現像剤像をシート上に転写するために、転写ローラ４は、転写ベルト３を介して像担持体５に適度な力で押圧している。さらに、転写効率を上げるために、転写ベルト３の厚さが薄くなっている。
【０００４】
【発明が解決しようとする課題】しかし、図４に示すように、搬送路が長い場合、ローラ間のアライメントの誤差、およびローラの円筒度の誤差が生じる。また、転写ベルトの厚さが薄くなっているため、転写ベルト３を介して、転写ローラ４により、感光ドラム５を押圧しても、ある程度のたるみが生じる。
【０００５】この結果、図５に示すように、転写ベルト３に波打ちが発生し、しわが生じる。この状態で、シートを転写し、さらに次の工程に進むと、次の問題がある。つまり、転写工程が終了した位置付近Ｂにおいて、転写ベルト３とシートの接触面積と、感光ドラム５とシートの接触面とを比較すると、転写ベルト３に発生したしわの分だけシートの接触面積が少ない。
【０００６】このことから、転写工程が終了した位置付近Ｂにおいて、所定の電圧を印加による作用、すなわち吸着力が、転写ベルト３側より感光ドラム５側の方が強くなり、シートが感光ドラム５に巻き込まれてしまう。
【０００７】本発明は、上述した問題点を解決するものであり、簡単な構成で、確実に、安定したシートの剥離を行うことができる転写剥離装置を提供することを目的とする。
【０００８】
【課題を解決するための手段】上記目的を達成するため、請求項１記載の発明に係る転写剥離装置の発明は、シート上に像担持体で形成された現像剤像を転写する転写部と少なくとも二つのローラ間で張架された前記シートを搬送するベルト部材とを備えた転写ユニットとを有し、転写部は、ベルト部材を介して像担持体を押圧し、少なくとも、像担持体と前記転写部との接触部に位置するベルト部材の部位において、ベルト部材を前記像担持体側に押し上げる剥離補助部材を備えたことを特徴とする。また、　請求項２記載の発明によれば、転写部は両端を支持された回転体であることを特徴とする。
【０００９】請求項３記載の発明によれば、剥離補助部材は、ベルト部材の幅方向に延びた補正部材と、接触部から各ローラの適宜位置に補正部材を配置する取付部材とを有し、補正部材は、補正部材の範囲にあるベルト部材を、接触部に対し略水平またはこの水平位置から像担持体側となるように、作用させることを特徴とする。
【００１０】請求項４記載の発明によれば、補正部材は、前記ベルト部材に押圧させる回転自在なローラ部と、前記ローラ部を支持する弾性部材とを有することを特徴とする。
【００１１】また、請求項５記載の発明によれば、補正部材は、前記ベルト部材に押圧させる回転自在なローラ部と、前記ローラ部を支持し、前記ローラ部の押圧を調整する調整部材とを有することを特徴とする。
【００１２】
【発明の実施の形態】以下、本発明の好適な実施形態を図に基づいて説明する。図１に、本発明の転写剥離装置の概略図を示す。図１に示すように転写剥離装置は、像担持体１０で形成された現像剤像をシート上に転写する転写部２１と、シートを搬送するエンドレスのベルト部材２２とを有する転写ユニット２０と、剥離補助部材３０とを有する。
【００１３】像担持体１０は、有機系、セレン系またはアモルファスシリコン系等で形成された感光ドラムであり、像担持体１０を中心にその周辺には、除電装置５０、図示されていない、クリーニング装置、帯電装置、露光装置、現像装置および転写装置となる転写ユニット２０が各々配置されている。なお、この実施態様において、像担持体１０は、感光ドラムを開示しているが、ベルト等であってもよい。
【００１４】さらに、ベルト部材２２は、ＥＴＦＥ（エチレン−テトラフルオロエチレン共重合体）を利用した、厚さが１００〜１８０μｍ、抵抗が１０１１．５〜１０１２．５Ωの誘電体ベルトであり、少なくとも二つのローラ間で張架されている。
【００１５】転写部２１は、弾力を有する弾性体または発泡体で構成され、両端を支持されたローラ状の回転体である。具体的には、ベルト部材２２の背面から感光ドラム１０表面を押圧する加圧ローラであり、ベルト部材２２を介して感光ドラム１０の表面と所定のニップ幅で押圧し、シート搬送が一定の方向（矢印Ａ方向）に行われるようになっている。
【００１６】剥離補助部材３０は、二つのローラ４０（４０ａ、４０ｂ）間に設けられ、ベルト部材２２の幅方向に延びた補正部材３１と、接触部Ｌから各ローラ（４０ａ、４０ｂ）の適宜位置に補正部材３１を配置する取付部材３２とからなる。取付部材３２は、図示しない転写ユニットの筐体の外側から、カバー部材３３に取り付けられている。
【００１７】取付部材３２の上面には、ベルト部材２２の裏面を押してベルト部材２２を持ち上げ、ベルト部材２２のしわをのばす補正部材３１（３１ａ、３１ｂ）が設けられている。補正部材３１は、弾性体または発泡体をブロック状に形成したものであり、ベルト部材の幅よりｄだけ僅かに内側に配置されている。
【００１８】また、ベルト部材２２の持ち上げは、接触部Ｌに対して水平または接触部に対してｔだけ像担持体１０側に押し上げるようになっている。補正部材３１（３１ａ、３１ｂ）の具体例として、ある程度、硬度のあるシート状のマイラー（商品名）等を使用する。
【００１９】以上の構成により、ベルト部材２２は、図２に示すように、各補正部材３１（３１ａ、３１ｂ）がベルト部材２２の裏面を押すことにより、一方の補正部材３１ａから転写部２１の範囲（Ｌａ）、他方の補正部材３１ｂから転写部２１の範囲（Ｌｂ）、接触部Ｌに位置するベルト部材２２、すなわちシートの搬送方向に対し転写部２１の上流部および下流部に発生するベルト部材２２のしわが伸び、波打ち現象が防止される。
【００２０】この結果、つまり、転写工程が終了した位置付近Ｌｂにおいて、本来あるべきシートとベルト部材２２の接触面積が元に戻り、吸着力が像担持体１０よりもベルト部材２２側の方が強くなり、シートが像担持体１０側に巻き込まれるのを防止する。
【００２１】なお、図３に示すように、補正部材３１の構成を、ベルト部材２２に押圧する回転自在なローラ部と、ローラ部を支持する弾性部材としてもよい。ローラ部は、弾性部材と異なる弾性特性を持つゴム及びスポンジ、金属等から形成される。
【００２２】この構成により、シートの搬送方向に対し転写部２１の上流部および下流部に発生するベルト部材２２のしわが伸びるとともに、過度な押し上げは弾性部材で吸収され、確実に、ベルト部材２２の波打ち現象が防止される。
【００２３】
また、先に述べたように、過度な補正部材３１の押圧力は、補正部材３１自身または弾性部材３２により吸収されているが、ローラ部の支持を調整部材とし、補正部材３１の範囲にあるベルト部材２２を、接触部Ｌに対し略平行または接触部Ｌに対し少し感光ドラム１０側となるように、ローラ部の高さを調整してもよい。
【００２６】
【発明の効果】剥離補助部材の補正部材を、像担持体近傍に位置するベルト部材を押さえ、この近傍に位置するベルト部材の波打ち現象が防止するという簡単な構成により、確実に安定したシートの剥離を行うことができる
【図面の簡単な説明】
【図１】本発明の転写剥離装置の概略図。
【図２】図１における接触部の部分拡大図。
【図３】図１の上面図。
【図４】従来の転写装置の概略図。
【図５】図４において転写ベルトに波打ちが発生した斜視図。
【符号の説明】
１０　像担持体
２０　転写ユニット
２１　転写部
２２　ベルト部材
３０　剥離補助部材
３１　補助部材
３２　取付部材
４０　ローラ
Ｌ　接触部
【図１】
2004004313.tif 000003
【図２】
2004004313.tif 000004
【図３】
2004004313.tif 000005
【図４】
2004004313.tif 000006
【図５】
2004004313.tif 000007